(57)【要約】【課題】  歯ブラシの台座や把手が歯当りや歯と交錯することの無い、歯裏や歯奥を磨き易い歯ブラシを開発する．【解決手段】  把手の先端に鰭状の台座を左右に設け、その表面に動物の毛あるいはプラスチックの繊維を植毛し刷毛を形成して歯ブラシとする．その台座の形状と寸法を歯裏の曲率に合わせ、スコップ状の傾斜変形を持たす事によって歯並に追随出来るようにした．歯を磨く時は、刷毛を垂直にして左右に動かし上下の歯を同時に磨く．その時把手は歯と歯の中間を通り歯と交錯しない．歯奥は台座を水平にし刷毛を歯奥に落としこんで左右に動かして磨く．【選択図】  図２
2006102429.tif 000002
【特許請求の範囲】
【請求項１】
実質的に１本の棒状成形品からなる把手または２本の棒状成形品を合体してなる把手の先端にスコップ状に取りつけられた板状の台座が、把手から長手端部方向に反り状の傾斜変形を有し、その面に動物の毛またはプラスチック繊維を植毛してなる歯ブラシ
【請求項２】
請求項１記載の台座の傾斜が台座の長さ１０ｍｍに対し１ないし１０ｍｍである歯ブラシ
【請求項３】
請求項１記載の台座が、把手方向の幅が７ないし１９ｍｍ、厚さが３ないし１０ｍｍ、把手方向に直角の長さが１０ないし３５ｍｍ、植毛された刷毛の繊維部の長さが２０ｍｍ以下である歯ブラシ
【請求項４】
請求項１記載の台座が、把手の軸方向に楔状の溝を有する歯ブラシ
【発明の詳細な説明】
【技術分野】
【０００１】  本発明は歯ブラシに関する．
【背景技術】
【０００２】  歯ブラシは、ほぼ直線状の把手と刷毛の部分より構成されている．刷毛を電気的に動かして便利性を与えた歯ブラシも市場に出ている．把手はプラスチックの棒状成形品が主に使われており、刷毛は動物の毛またはプラスチックの繊維を集束したもので出来ている．刷毛の台座は把手の延長線上にあり、この結果、歯、刷毛および把手の三者が密接して歯磨きがなされている．また最奥歯の裏、即ち歯奥は歯並びに対し直角方向に位置しているため、刷毛と把手が直線になっている現在の歯ブラシでは刷毛は中心部まで行き届かない．
この解決策として把手の先端にＴ字状あるいはＬ字状あるいは相対して２個の刷毛を設けたものなどが提案されているが使い勝手が悪く実用化されていない．
【特許文献】特開  ２０００−１２５９４０  特開  ２００３−２４５１２９  実開  平７−３６７４６  実開  平６−４８４２２  特開  ２００３−２５０６３４  特開  ２００３−９３１５６  特開  ２００２−５１８３７
【発明の開示】
【発明が解決しようとする課題】
【０００３】  現在使われている歯ブラシは歯の前面は良く磨けるが、裏面特に前歯の裏側や歯奥などは把手が歯と交錯して磨き難く、また歯にたいする圧力が場所によって均等ではなく磨き残しや歯茎を痛めることがある．これらの歯ブラシの欠点を改善するために前述のように各種の提案がなされてきたが、歯裏を磨く時に台座が歯当りを起こし安定性に欠け、歯ブラシ１本では歯を磨けなかったり、構造が複雑になったりして使い勝手が悪く実用化されていない．本発明は、このような台座の歯当りや把手と歯の交錯がなく、１本の歯ブラシで歯裏、歯奥を使い勝手良く磨く事ができる歯ブラシの開発を課題とした．
【課題を解決するための手段】
【０００４】  台座が歯に当たらない歯ブラシの構造を研究し以下の発明に至った．把手の先端にスコップ型板状の台座を設け、この台座の背面に刷毛を形成した．台座の外形は多角形や円あるいは楕円など好みとデザインを考えて選択できるが幼児用は楕円、大人用は四辺形がよい．把手は台座長手方向の側面中央部に台座の面と同方向で辺と直角に設ける．刷毛が垂直方向になるように把手を持ち、上下の歯に刷毛を当て左右に動かし歯を磨く．これによって歯裏を磨く時も把手は上歯と下歯の間の空間を歯に触れることなく動かすことが可能となり、歯が邪魔にならなくなった．刷毛も上下左右の歯の表面に平行に接触出来た．把手と台座は成形の時に一体構造となるように製造するか、台座部分と把手を別々に作り、後から嵌めこみなどの方法で合体し連結したり、半円状の断面の把手に台座をそれぞれ片側だけ着け後から二つ合わせて両側に台座をつけた状態にする方法で作る．歯裏は内曲がり曲面となっているために台座の幅が歯の曲率半径より小さくないと台座が歯に当り歯ブラシは動かし難い．現行の歯ブラシでは台座の長さは約２０ｍｍとなっており、歯裏の曲率に合っていない．歯裏の形状や配置、寸法は一人ひとり異なっており幼児や大人では大きく違うが，大人の歯の曲率半径は約２０ｍｍ前後である．この曲面に刷毛を合わせるためには台座の幅も２０ｍｍ未満、好ましくは７ないし１３ｍｍとする．厚さは５ｍｍ前後、長さは年齢などで口腔の大きさが違うので、何種類か準備することになるが最大３５ｍｍとする．刷毛の毛先面は出来るだけ平らに揃える．歯は前述のとおり曲率半径を持つが、更に考慮する点がある．それは歯裏のところには勾配があることと前歯と奥歯の間に大きな段差があることである．このために歯ブラシもこの勾配に合わせて傾きを持たせないと円滑に動かせない事が実験結果わかった．このため把手から台座の幅方向の先端に向かって外側に傾斜を持たせたスコップ状の台座とした．傾斜の度合いは把手から台座の端方向に１０ｍｍに対し２ないし５ｍｍあれば通常の人に適合できる．傾斜はほぼ直線状で好い．出来るだけ歯の勾配に合った傾斜とする．把手、台座および刷毛の材質、植毛法などは現行の歯ブラシの方法を踏襲する．新規な材質、製造法についても本発明の歯ブラシは適用可能である．電気的に振動を刷毛に与えるなどの機能を付加することも現行歯ブラシと同じように可能である．台座および把手の前後左右の辺および頂点は口腔内の傷防止のために丸みをつける．歯奥を磨く時は台座を水平に構え歯奥に刷毛を落としこんで左右に動かして磨く．歯奥は狭く台座の幅は、この事からも１０ｍｍ前後が望ましい．台座の中央部即ち把手の延長上は、上下の歯の間に位置し歯を磨く必要はないので植毛密度は低くしてよい．またこの部分に楔状の溝を入れると、刷毛と歯の接触感を調整できる．
【発明の効果】
【０００５】  本発明の歯ブラシは、把手と歯の交錯がなく台座が傾斜して刷毛と歯が均等に接触し歯裏でも容易に磨け、刷毛の寿命とされる繊維の広がり変形も少なくなる．上下の歯を同時に磨く事が出来るので効率も良い．現在の歯ブラシは歯奥に入り難いが、本発明の歯ブラシは簡単に入れる事ができる．台座の傾斜によって刷毛も歯茎に食い込むような方向となり歯磨きの効果も向上する．現在の歯ブラシは台座の先端が円形となっており刷毛の量も少ないが、本発明の歯ブラシは台座の先端が直線状で刷毛密度も多くなり歯茎の磨き効果に優れている．これらは他の歯ブラシでは歯当りが発生したり、歯の曲率と傾斜に追随できなかったために実現できなかった．
【発明を実施するための最良の形態】
【０００６】  数多くの試作を重ねた中から最良の歯ブラシを例示する．支持棒と台座は一体の状態で成形した．材質は現行の歯ブラシで用いられているポリプロピレンを使用した．刷毛に用いた繊維は柔らかめのナイロンを用いた．台座は幅１０ｍｍ長さ２５ｍｍ厚さ４ｍｍの寸法でスコップ状の傾斜のついた板状のものを把手先端に設けた．把手先端の径は５ｍｍ、台座は把手の位置から直線状に勾配を１０ｍｍに対し２ｍｍつけた．刷毛は台座上に幅８ｍｍ長さ２２ｍｍ高さ１２ｍｍの寸法に形成した．この歯ブラシは歯の前面、裏面、歯奥すべて円滑に磨くことが出来た．上下同時に磨くことも出来た．比較テストで台座に傾斜の無いＴ型歯ブラシを用いたが、歯裏で歯当りが起こり上下動は可能だが左右には動かし難く歯を円滑に磨けなかった．
【産業上の利用可能性】
【０００７】  本発明の歯ブラシは構造が簡単で現行生産システムを使うことが出来る．歯磨き効果や便利性が高まるので消費者にも十分に受け入れられると考えられる．
【図面の簡単な説明】
【０００８】
【図１】斜面から見た説明図である．
【図２】把手側から見た説明図である．
【図３】把手を二本組み合わせて一本の軸とした例
【符号の説明】
【０００９】１    把手    ２    台座
３    刷毛
【図１】
2006102429.tif 000003
【図２】
2006102429.tif 000004
【図３】
2006102429.tif 000005